(57)【特許請求の範囲】
【請求項１】
互いに接触してニップを形成し、該ニップを通過する画像形成された用紙を加湿する一対の加湿ローラと、該加湿ローラに水を供給する一対の給水ローラと、前記加湿ローラ間の圧着又解除及び前記加湿ローラと前記給水ローラとの間の圧着又解除を行う圧着解除機構と、該圧着解除機構を制御する制御部とを有し、
前記制御部は、少なくとも次の３つの状態を設定するように前記圧着解除機構を制御し、
（１）前記加湿ローラ間の圧着を解除し、前記加湿ローラと前記給水ローラとの間の圧着を解除した状態
（２）一対の前記加湿ローラを互いに圧着し、前記加湿ローラと前記給水ローラとを圧着した状態
（３）一対の前記加湿ローラを互いに圧着し、前記加湿ローラと前記給水ローラとの間の圧着を解除した状態、
前記（３）の状態は、加湿することなく前記用紙を処理する加湿無しモードにおいて設定されることを特徴とする用紙加湿装置。
【請求項２】
前記制御部は、待機モードにおいて、前記（１）の状態を設定するように前記圧着解除機構を制御することを特徴とする請求項１に記載の用紙加湿装置。
【請求項３】
前記制御部は、前記用紙を加湿する加湿モードにおいて、前記（２）の状態を設定するように前記圧着解除機構を制御することを特徴とする請求項１又は請求項２に記載の用紙加湿装置。
【請求項４】
前記圧着解除機構は、前記加湿ローラと前記給水ローラとを変位させるカムを有することを特徴とする請求項１〜３のいずれか１項に記載の用紙加湿装置。
【請求項５】
前記加湿モードにおいて、用紙間間隔が所定値以上のときは、前記制御部は前記加湿ローラ間の圧着を解除し、前記加湿ローラと前記給水ローラとの間の圧着を解除することを特徴とする請求項３に記載の用紙加湿装置。
【請求項６】
前記加湿ローラの用紙搬送方向に関して、前記加湿ローラの下流に配置された除湿部を有することを特徴とする請求項１〜５のいずれか１項に記載の用紙加湿装置。
【請求項７】
請求項１〜６のいずれか１項に記載の用紙加湿装置を有することを特徴とする用紙後処理装置。
【請求項８】
用紙に画像を形成する画像形成部及び加熱定着により画像を定着する定着部を有する画像形成装置と、請求項１〜６のいずれか１項に記載の用紙加湿装置とを有することを特徴とする画像形成システム。
【発明の詳細な説明】
【技術分野】
【０００１】
本発明は、用紙に対して加湿を行う用紙加湿装置と、該用紙加湿装置を有する用紙後処理装置と、該用紙加湿装置を有する画像形成システムとに関する。
【背景技術】
【０００２】
電子写真方式の画像形成装置の後処理装置として、用紙を加湿する用紙加湿装置が用いられている。
【０００３】
このような用紙加湿装置としては、様々な形態のものが提案されているが、特許文献１、２では、用紙に水を付与する一対の加湿ローラと、該加湿ローラに水を供給する給水ローラとを有する用紙加湿装置が開示されている。
【０００４】
特許文献１では、アイドリング時に、加湿ローラ間の圧着を解除している。
【先行技術文献】
【特許文献】
【０００５】
【特許文献１】特開２００７−５８０２６号公報
【特許文献２】特開２００７−２８６１５１号公報
【発明の概要】
【発明が解決しようとする課題】
【０００６】
一対の加湿ローラ同士或いは加湿ローラと給水ローラとが圧着した状態が長時間続くとこれらローラのゴム層が変形する場合がある。また、用紙を加湿することなく、用紙に対する処理を行う加湿無し処理モードでは、加湿ローラが用紙を搬送するのみであり、用紙に対する加湿を行わない。
【０００７】
特許文献１、２に開示された用紙加湿装置では、ゴム層の変形を防止し、また、加湿無し処理を行うことができない。
【０００８】
即ち、特許文献１では、加湿ローラ同士間の圧着と加湿ローラと給水ローラとの間の圧着とが行われるのみで、解除を行っていない。
【０００９】
特許文献２では、加湿ローラ同士の解除を行っているが、給水ローラは常に加湿ローラに圧着している。
【００１０】
このために、特許文献１、２では、加湿ローラ及び給水ローラが停止した状態で圧着しており、ローラのゴム層が変形してしまう。また、特許文献２では、給水ローラが加湿ローラに圧着したままであるので、これらローラのゴム層が変形するとともに、加湿処理を行うことなく、用紙を搬送することができない。
【００１１】
本発明は、従来の用紙加湿装置におけるこのような問題を解決し、用紙加湿装置が組み込まれた装置の様々なモードでの動作を可能にする用紙加湿装置を提供するとともに、種々のモードで正常、且つ、円滑に作動する用紙後処理装置と、画像形成システムとを実現することを目的とする。
【課題を解決するための手段】
【００１２】
前記目的は下記の発明により達成される。
【００１３】
１．互いに接触してニップを形成し、該ニップを通過する画像形成された用紙を加湿する一対の加湿ローラと、該加湿ローラに水を供給する一対の給水ローラと、前記加湿ローラ間の圧着又解除及び前記加湿ローラと前記給水ローラとの間の圧着又解除を行う圧着解除機構と、該圧着解除機構を制御する制御部とを有し、
前記制御部は、少なくとも次の３つの状態を設定するように前記圧着解除機構を制御し、
（１）前記加湿ローラ間の圧着を解除し、前記加湿ローラと前記給水ローラとの間の圧着を解除した状態
（２）一対の前記加湿ローラを互いに圧着し、前記加湿ローラと前記給水ローラとを圧着した状態
（３）一対の前記加湿ローラを互いに圧着し、前記加湿ローラと前記給水ローラとの間の圧着を解除した状態、
前記（３）の状態は、加湿することなく前記用紙を処理する加湿無しモードにおいて設定されることを特徴とする用紙加湿装置。
【００１４】
２．前記制御部は、待機モードにおいて、前記（１）の状態を設定するように前記圧着解除機構を制御することを特徴とする前記１に記載の用紙加湿装置。
【００１５】
３．前記制御部は、前記用紙を加湿する加湿モードにおいて、前記（２）の状態を設定するように前記圧着解除機構を制御することを特徴とする前記１又は前記２に記載の用紙加湿装置。
【００１７】
４．前記圧着解除機構は、前記加湿ローラと前記給水ローラとを変位させるカムを有することを特徴とする前記１〜３のいずれか１項に記載の用紙加湿装置。
【００１８】
５．前記加湿モードにおいて、用紙間間隔が所定値以上のときは、前記制御部は前記加湿ローラ間の圧着を解除し、前記加湿ローラと前記給水ローラとの間の圧着を解除することを特徴とする前記３に記載の用紙加湿装置。
【００１９】
６．前記加湿ローラの用紙搬送方向に関して、前記加湿ローラの下流に配置された除湿部を有することを特徴とする前記１〜５のいずれか１項に記載の用紙加湿装置。
【００２０】
７．前記１〜６のいずれか１項に記載の用紙加湿装置を有することを特徴とする用紙後処理装置。
【００２１】
８．用紙に画像を形成する画像形成部及び加熱定着により画像を定着する定着部を有する画像形成装置と、前記１〜６のいずれか１項に記載の用紙加湿装置とを有することを特徴とする画像形成システム。
【発明の効果】
【００２２】
本発明においては、一対の加湿ローラと給水ローラとを、少なくとも次の３つの状態に設定する。
【００２３】
（１）前記加湿ローラ間の圧着を解除し、前記加湿ローラと前記給水ローラとの間の圧着を解除した状態
（２）一対の前記加湿ローラを互いに圧着し、前記加湿ローラと前記給水ローラとを圧着した状態
（３）一対の前記加湿ローラを互いに圧着し、前記加湿ローラと前記給水ローラとの間の圧着を解除した状態。
【００２４】
これにより、ローラを構成するゴム層の変形を防止するとともに、加湿無しの用紙処理等が可能となり、用紙加湿装置が組み込まれる用紙処理装置や画像形成システムの様々なモードが可能となる。
【図面の簡単な説明】
【００２５】
【図１】本発明の実施の形態に係る画像形成システムの全体を示す図である。
【図２】本発明の実施の形態に係る用紙後処理装置Ｂの全体を示す図である。
【図３】用紙加湿装置の正面断面図である。
【図４】用紙加湿装置の斜視図である。
【図５】表１に示す３モードにおける加湿ローラ１２２、１２３と給水ローラ１２４、１２５との状態を示す図である。
【図６】図５（ａ）〜（ｃ）に示す状態を設定する制御部の機構を示す図である。
【図７】制御部のブロック図である。
【発明を実施するための形態】
【００２６】
以下に、実施の形態により本発明を説明するが、本発明は該実施の形態に限られない。
【００２７】
［画像形成システム］
図１は本発明の実施の形態に係る画像形成システムの全体を示す図であり、該画像形成システムは画像形成装置Ａと、用紙後処理装置Ｂと、用紙後処理装置ＦＳとから構成される。
【００２８】
画像形成装置Ａは、自動原稿搬送装置１と画像読取部２とを上部に有し、下部が画像形成部と定着部とで構成される。
【００２９】
画像形成部において、３は用紙Ｓを収納する用紙収納部である。感光体４に対して、帯電、露光及び現像を行う電子写真プロセスにより、感光体４上にトナー像を形成するプリンタエンジン５において、用紙Ｓに画像が形成される。形成された画像は定着部６において用紙Ｓに加熱定着される。定着部６は熱源６ａが内蔵された加熱ローラ６ｂと加圧ローラ６ｃとで用紙Ｓを搬送するニップ部を形成し、用紙Ｓを搬送しつつ加熱・加圧してトナーを溶融し、画像を用紙Ｓに定着する。
【００３０】
用紙Ｓは用紙収納部３から第１給紙手段３ａにより給送され、第２給紙手段３ｂにおいて一時停止した後に給紙されて画像形成が行われ、画像形成された用紙Ｓは、排紙ローラ８により排紙口から排出される。
【００３１】
用紙Ｓの搬送経路としては、用紙収納部３からプリンタエンジン５までの給紙路７と、プリンタエンジン５から定着部６と、排紙ローラ８を経て排紙口に至る搬送路９ａと、反転搬送を行う裏面用搬送路９ｂとが設けられる。
【００３２】
画像形成モードとしては、片面フェースダウン排紙モードと、片面フェースアップ排紙モードと両面モードとがある。片面フェースダウン排紙モードでは、片面に画像が形成され、定着部６を通過した用紙Ｓは、反転処理により表裏反転した後に、排紙ローラ８で搬送されて排出される。
【００３３】
片面フェースアップ排紙モードでは、片面に画像形成され、搬送路９ａを搬送された用紙Ｓは、そのまま排紙ローラ８により搬送され排出される。
【００３４】
両面モードにおいては、片面に画像形成され、定着部６を通過した用紙Ｓは、下方に走行して裏面用搬送路９ｂに進行し、表裏反転した後に、給紙路７に再給紙される。
【００３５】
再給紙された用紙Ｓの裏面にプリンタエンジン５において裏面画像が形成され、裏面画像形成された用紙Ｓは定着部６を通過し、排紙ローラ８により搬送されて排出される。
【００３６】
１０は操作部であり、画像形成装置Ａにおける各種のモードと、用紙後処理装置ＦＳを用いた出力モードの設定とを操作部１０における操作で設定することができる。
【００３７】
画像形成装置Ａに配置された制御ユニットＣ１は、通信手段Ｃ４を介して用紙後処理装置Ｂの制御ユニットＣ２、及び用紙後処理装置ＦＳの制御ユニットＣ３に接続されている。
【００３８】
制御ユニットＣ１は画像形成装置Ａにおける画像形成工程の制御及び画像形成システム全体の制御を行う。制御ユニットＣ２は用紙後処理装置Ｂの制御を行い、制御ユニットＣ３は用紙後処理装置ＦＳの制御を行う。制御ユニットＣ２、Ｃ３は制御ユニットＣ１からの命令や情報に基づいて作動して各種の制御を行い、用紙後処理装置Ｂ、ＦＳの状態を制御ユニットＣ１に報告する。制御ユニットＣ１と、制御ユニットＣ２と、制御ユニットＣ３とにより構成される制御部が画像形成システム全体を制御する。
【００３９】
画像形成装置Ａから排出された用紙Ｓは、用紙後処理装置Ｂを経て用紙後処理装置ＦＳに搬送される。
【００４０】
用紙後処理装置Ｂは、画像形成装置Ａから排出された用紙Ｓを受け入れ搬送する搬入搬送部１００と、用紙Ｓに水を付与する用紙加湿装置１２０と、第１デカール部１６０と、第２デカール部１７０と、用紙Ｓを排出し、用紙後処理装置ＦＳへと受け渡す排紙搬送部２００とを有する。
【００４１】
用紙後処理装置ＦＳは、画像形成装置Ａから排出される用紙Ｓに対して各種の後処理装置を行うものある。図示の例は糊付け製本機であるが、穿孔折り機、平綴じ機、中綴じ機、断裁機等を備えることも可能である。
【００４２】
糊付け製本機は、用紙導入部２１と、排紙部２２と、用紙束収納部２３と、用紙束搬送部２４と、糊塗布部２５と、表紙供給部２６と、表紙断裁部２７と、表紙外装部（くるみ製本部）２８と、整合部２９等を備えている。
【００４３】
用紙導入部２１に導入された用紙Ｓは、用紙束収納部２３上に載置された後、斜め下方に逐次搬送され、用紙束搬送部２４の把持部２４１によって把持される。把持部２４１は、用紙束Ｓａを把持したまま用紙束Ｓａに糊塗布処理をする面（背部）を下側になるように旋回して所定位置に停止する。糊塗布部２５は、用紙束Ｓａの背部に糊を塗布する。
【００４４】
表紙供給部２６に収納された表紙Ｋは、表紙断裁部２７を経由して表紙外装部２８に搬送された後、表紙Ｋの後端部が表紙断裁部２７によって所定長に断裁される。表紙Ｋの断裁長は、用紙Ｓの進行方向の２枚分の長さに用紙束Ｓａの背部の厚さを加えた長さである。
【００４５】
表紙外装部２８は、表紙供給部２６から供給された表紙Ｋを受容して搬送し、所定位置に停止させた後、整合部２９により幅方向の位置決めを行う。表紙Ｋは表紙外装部２８により用紙束Ｓａの糊塗布面Ｎに圧接して接着される。
【００４６】
用紙束Ｓａの背部に対向する加圧部材の下降と、表紙外装部２８の上部に配置された左右対称な一対の折曲部材の移動とにより、表紙Ｋは用紙束Ｓａの糊塗布面Ｎの側縁に沿って折り曲げられ、用紙束Ｓａの表裏面に表紙Ｋを装着した用紙束Ｓａが形成される。
【００４７】
表紙Ｋの折り曲げ工程の終了後、表紙外装部２８が下降して待避した後、整合部２９の退避とともに表紙Ｋの幅方向外側に退避していた排出ベルト３０が用紙束Ｓａの下方の幅方向内側まで移動して停止する。その後、把持部２４１による挟持が解除されると、用紙束Ｓａは下降し、用紙束Ｓａの下方の背部が排出ベルト３０の上面に当接する位置に停止する。回動する排出ベルト３０は、用紙束Ｓａに表紙Ｋを貼着してくるみ製本処理された冊子を装置外に排出する。
【００４８】
［用紙後処理装置Ｂ］
図２は、本発明の実施の形態に係る用紙後処理装置Ｂの全体を示す図である。
【００４９】
搬入搬送部１００は複数の搬送ローラ１０１〜１０５を有し、画像形成装置Ａから排出された用紙Ｓを用紙加湿装置１２０に向けて搬送する。
【００５０】
第１デカール部１６０と第２デカール部１７０とは互いに反対向きの用紙Ｓのカールを矯正する。第１デカール部１６０、第２デカール部１７０においては、搬送ローラ１６１、１６２により用紙Ｓが搬送される。
【００５１】
排紙搬送部２００においては、搬送ローラ２０１〜２０３により用紙Ｓが搬送され、排紙ローラ２０４により用紙Ｓが排出され、用紙後処理装置ＦＳに送り込まれる。
＜用紙加湿装置＞
図２〜４により用紙加湿装置１２０の構造と、作用とを説明する。図３は用紙加湿装置の正面断面図、図４は用紙加湿装置の斜視図である。
【００５２】
用紙を加湿する水Ｗを収容する水船１２１は、搬送される用紙Ｓの最大幅（搬送方向に直角な方向の用紙長さ）よりも若干長い水槽１２１Ａを形成する。
【００５３】
水船１２１には、左右に並んだ給水皿１２１Ｂ１、１２１Ｂ２が形成される。
【００５４】
給水皿１２１Ｂ１、１２１Ｂ２は水船１２１により形成される水槽１２１Ａより高い位置で水を収容する部屋を形成する。
【００５５】
給水皿１２１Ｂ１、１２１Ｂ２に収容されている水はオーバーフローして水槽１２１Ａに落下する。
【００５６】
水船１２１の中央部には用紙Ｓが通過する間隙１２１Ｅが形成される。
【００５７】
図４に示すように、給水皿１２１Ｂ１、１２１Ｂ２と間隙１２１Ｅとを形成する用紙通過部は、水槽１２１Ａ中に島状に形成される。
【００５８】
２個の給水皿１２１Ｂ１、１２１Ｂ２はそれぞれ、給水ローラ１２４、１２５の円筒形外周面に対応した円弧状の内周面を有する。
【００５９】
給水皿１２１Ｂ１、１２１Ｂ２は後に説明するように、給水管１３１から水Ｗ（図２参照）が供給され、排水溝１２１Ｄ１、１２１Ｄ２からのオーバーフローにより常に一定の水位ＷＳが保持される。
【００６０】
給水皿１２１Ｂ１、１２１Ｂ２の上方には、給水皿１２１Ｂの内周面と所定の間隔を隔てて配置された給水ローラ１２４、１２５が配置され、給水ローラ１２４、１２５の下部は給水皿１２１Ｂ１、１２１Ｂ２に収容されている水に浸漬する。
【００６１】
給水ローラ１２４、１２５は金属の軸芯１２４１、１２５１にゴムからなる表面層１２４２、１２５２を形成したゴムローラからなり、給水ローラ１２４は矢印Ｄ１のように回転し、給水ローラ１２５は矢印Ｄ２のように回転する。
【００６２】
給水ローラ１２４に圧着するように加湿ローラ１２２が、給水ローラ１２５に圧着する加湿ローラ１２３がそれぞれ配置され、加湿ローラ１２２と加湿ローラ１２３とが圧着する。
【００６３】
加湿ローラ１２２、１２３はそれぞれ金属の軸芯１２２１、１２３１にゴムからなる表面層１２２２、１２３２を形成したゴムローラからなる。加湿ローラ１２２は矢印Ｄ３のように回転し、加湿ローラ１２３は矢印Ｄ４のように回転して、図示のように用紙Ｓを上方に挟持搬送する。
【００６４】
加湿ローラ１２２又は１２３のいずれかが駆動源（図示せず）により回転駆動されて駆動ローラとして回転し、他の加湿ローラ及び給水ローラ１２４、１２５は駆動ローラに従動して回転する。
【００６５】
１２６は給水ローラ１２４に圧着する規制部材、１２７は給水ローラ１２５に圧着する規制部材である。
【００６６】
規制部材１２６、１２７は金属の円筒体からなり、給水ローラ１２４、１２５に従動して回転する。規制部材１２６が給水ローラ１２４を、規制部材１２７が給水ローラ１２５をそれぞれ押圧するように、規制部材１２６、１２７はバネ１３４、１３５で付勢されている。このような構成により、加湿ローラ１２２と加湿ローラ１２３とは、これらローラを構成するゴムの弾性と規制部材１２６、１２７を付勢するバネ１３４、１３５の弾性とにより互いに圧接し、ニップを形成して通過する用紙Ｓを挟持搬送しつつ用紙Ｓに水Ｗを付与して加湿を行う。
【００６７】
１３０は貯水槽、１３１は給水管、１３２は排水管、１３３はフィルタである。
【００６８】
水Ｗは貯水槽１３０からポンプ（図示せず）により給水管１３１を経て水船１２１の給水皿１２１Ｂ１、１２１Ｂ２に供給され、排水管１３２を経て水船１２１から貯水槽１３０に還流する。
【００６９】
１２１Ｃ１〜１２１Ｃ４は給水口であり、給水管１３１を経て給水口１２１Ｃ１〜１２１Ｃ４から供給された水Ｗは矢印Ｄ５１〜Ｄ５４のように流れて排水溝１２１Ｄ１、１２１Ｄ２から流出する。
【００７０】
用紙に水Ｗを付与する過程で水Ｗに混入した紙粉等の異物はフィルタ１３３により濾過され、水Ｗは貯水槽１３０と水船１２１との間で循環する。
【００７１】
用紙Ｓへの水の付与は次のようにして行われる。
【００７２】
用紙Ｓは搬送ローラ１０５により用紙加湿装置１２０に搬入され、間隙１２１Ｅを通過し加湿ローラ１２２、１２３により搬送される。加湿ローラ１２２、１２３の外周面には、水Ｗの層が形成されており、用紙Ｓには搬送の過程で連続的に水Ｗが付与される。給水ローラ１２４、１２５の外周面には均一な水Ｗの層が形成されるが、規制部材１２６、１２７により更に均一化される。用紙の水Ｗを付与する過程で、用紙Ｓから紙粉等の異物が加湿ローラ１２２、１２３に付着し、更に水Ｗに混入するが、水Ｗに混入した異物はフィルタ１３３により濾過される。
【００７３】
加湿ローラ１２２、１２３の上方、即ち、用紙搬送方向に関して、加湿ローラ１２２、１２３の下流に用紙Ｓや加湿ローラ１２２、１２３から余分な水を除去する除湿部１５０が配置される。除湿部１５０は両側から用紙をガイドする一対のガイド部材１５１、１５１と、一対の送風ファン１５２、１５２とで構成される。ガイド部材１５１は送風ファン１５２からの空気を通し、且つ、用紙Ｓをガイドする。除湿部１５０からの空気は用紙Ｓを除湿するとともに、後に説明するように、加湿ローラ１２２、１２３から余分な水分を除去する。除湿部１５０において余分な水分を除去された用紙Ｓは搬送ローラ１５３によりデカール部１６０へと搬送される。
＜加湿ローラ、給水ローラの圧着、解除制御＞
用紙後処理装置Ｂは次の３モードで作動する。
ａ．待機モード：
ｂ．加湿モード：
ｃ．加湿無しモ−ド：
これらの各モードにおいて、加湿ローラ１２２、１２３と、給水ローラ１２４、１２５とは表１のように圧着又は解除を行う。
【００７４】
【表１】
0005407747.tif 000002
【００７５】
表１において、圧着とは、例えば加湿ローラ１２２と加湿ローラ１２３とのように、２ローラが圧着する状態を言い、解除とは、２ローラが離れて２ローラ間に間隔ができる状態、即ち、圧着が解除された状態を言う。加湿ローラ１２２と加湿ローラ１２３とが圧着した状態では、用紙に対する加湿が行われる。また、加湿ローラ１２２と給水ローラ１２４、加湿ローラ１２３と給水ローラ１２５とが圧着した状態では、加湿ローラ１２２、１２３に給水ローラ１２４、１２５から水がそれぞれ供給される。
【００７６】
図５は表１に示す３モードにおける加湿ローラ１２２、１２３と給水ローラ１２４、１２５との状態を示す。
【００７７】
図５（ａ）はａ待機モードとｂ２加湿モードを、図５（ｂ）はｂ１加湿モードを、図５（ｃ）は加湿無しモードをそれぞれ示す。
【００７８】
図５（ａ）に示すａ待機モードにおいては、加湿ローラ１２２、１２３、給水ローラ１２４、１２５はそれぞれ回転を停止している。ローラが停止した状態で圧着を長時間続けた場合ローラの表面層を形成するゴムが変形するが、解除することによりローラが停止していてもローラの変形が回避される。
【００７９】
表１に示すように、ｂ２加湿モードにおいて、紙間隔、即ち、用紙加湿装置１２０に搬入される用紙Ｓの間隔が所定値以上長いときは、加湿ローラ間及び加湿ローラと給水ローラとの間の圧着が解除される。所定値とは、例えば、用紙数枚分の長さである。用紙Ｓの加湿処理において、紙間隔が長く、加湿ローラ１２２と加湿ローラ１２３間に通紙がない時間が長い場合、加湿ローラ１２２、１２３に対する水の供給がある一方、用紙Ｓによる水の吸収がない。この場合、加湿ローラ１２２、１２３間のニップに余分な水が蓄積する。このように水が蓄積されたニップに通紙されると、用紙Ｓの先端に水が過剰に付与される結果となる。その結果、使用される用紙の紙質によっては、用紙先端に波打ち等が発生する。
【００８０】
紙間隔が所定値以上であるｂ２加湿モードの場合に、解除を行うことによりこのような現象が防止される。
【００８１】
図５（ｂ）に示すｂ１加湿モードでは、加湿ローラ１２２、１２３は回転し、これらに従動する給水ローラ１２４、１２５も回転する。これらローラの圧着、回転により、加湿ローラ１２２、１２３に連続的に水が供給され、用紙に対する加湿が連続的に行われる。
【００８２】
図５（ｃ）に示すｃ加湿無しモードでは、加湿ローラ１２２、１２３が回転し、給水ローラ１２４、１２５が停止している。給水ローラ１２４、１２５は加湿ローラ１２２、１２３から離間しており、水の供給がない状態で加湿ローラ１２２、１２３が回転する。即ち、図５（ｃ）では加湿ローラ１２２、１２３は用紙Ｓを搬送するのみの搬送ローラとして機能する。用紙Ｓに対する処理の内容の如何、処理される用紙Ｓの紙質の如何、温度、湿度等の環境の如何によっては、用紙加湿装置１２０による加湿処理を行うことなく用紙Ｓに対する処理が行われる。
【００８３】
ｃ加湿無しモードに入る場合、用紙Ｓの先頭に対して加湿が行われる場合がある。即ち、ｃ加湿無しモードに入る前には、加湿ローラ１２２，１２３に対して水が付与されているために、加湿ローラ１２２、１２３から給水ローラ１２４、１２５が離間した直後は、加湿ローラ１２２、１２３上に水が存在する。この状態で、ｃ加湿無しモードが実行されると、用紙Ｓの先端に対して加湿が行われる。その結果、処理される用紙Ｓの紙質の如何によっては、用紙先端に波打ち等が発生する。
【００８４】
ｃ加湿無しモードに入り、用紙を搬送する前に、図５（ｃ）のように、加湿ローラ１２２、１２３間を圧着し、加湿ローラ１２２と給水ローラ１２４との間及び加湿ローラ１２３と給水ローラ１２５との間の圧着を解除した状態で、加湿ローラ１２２、１２３を回転し、除湿部１５０を作動させる。この作動で、加湿ローラ１２２、１２３に乾燥風を送り加湿ローラ１２２、１２３から水を除去する。所定時間加湿ローラ１２２、１２３を回転させた後に用紙搬送を開始する。これによりｃ加湿無しモード初期における用紙の波打ちを防止することができる。
【００８５】
図６は図５（ａ）〜（ｃ）に示す状態を設定する圧着解除機構を示し、図７は図６に示す圧着解除機構を制御する制御部を含む制御系のブロック図である。制御部は表１に示す状態、即ち、次の３つの状態を設定する。
【００８６】
（１）前記加湿ローラ１２２、１２３間の圧着を解除し、前記加湿ローラ１２２と前記給水ローラ１２４との間及び前記加湿ローラ１２２と前記給水ローラ１２４との間の圧着を解除した状態
（２）一対の前記加湿ローラ１２２、１２３を互いに圧着し、前記加湿ローラ１２２と前記給水ローラ１２４とを圧着し、前記加湿ローラ１２３と前記給水ローラ１２５とを圧着した状態
（３）一対の前記加湿ローラ１２２、１２３を互いに圧着し、前記加湿ローラ１２２と前記給水ローラ１２４との間及び前記加湿ローラ１２２と前記給水ローラ１２４との間の圧着を解除した状態。
【００８７】
これら３つの状態を設定する制御部は図７の制御ユニットＣ２で構成され、制御部の制御により圧着解除を行う圧着解除機構は図６のカム１４０、１４１で構成される。制御ユニットＣ２は、制御ユニットＣ１からの指令に従って加湿ローラ１２２を駆動して用紙Ｓを搬送するモータＭ１とカム１４０を駆動して圧着、解除を行うモータＭ２とを制御し、表１のａ待機モードと、ｂ１加湿モードと、ｂ２加湿モードと、ｃ加湿無しモードとを実行する。
【００８８】
図５に示すように、給水ローラ１２４をバネ１３４で左方向に付勢し、給水ローラ１２５をバネ１３５により右方に付勢している。カム１４０は、加湿ローラ１２２の回転軸１２２ａを中心に回転し、カム１４１は加湿ローラ１２３の回転軸１２３ａを中心に回転する。カム１４０とカム１４１とはモータＭ２の駆動で矢印のように回転する。カム１４０又はカム１４１のいずれか一方をモータＭ２で駆動し、カム１４０とカム１４１とをギヤで連結することにより、カム１４０、１４１が図示の矢印のように回転する。
【００８９】
給水ローラ１２４と一体な円板１２４ａはカム１４０に接触し、給水ローラ１２５と一体な円板１２５ａはカム１４１に接触する。
【００９０】
カム１４０は最大の半径を有する大径部１４０１、１４０３と、中間の半径を有する中径部１４０４、直線部１４０２とを有する。直線部１４０２の回転軸１２２ａに最も近い部分の半径は中径部１４０４の半径よりも小さい。即ち、直線部１４０２は最小の半径を有するカム部である。
【００９１】
同様に、カム１４１は、最大の半径を有する大径部１４１１、１４１３と、中間の半径を有する中径部１４１４、直線部１４１２とを有する。直線部１４１２の回転軸１２３ａに最も近い部分の半径は中径部１４１４の半径よりも小さい。即ち、直線部１４１２は最小の半径を有するカム部である。
【００９２】
図６（ａ）は待機モードであり、図５（ａ）に対応する。
【００９３】
図６（ａ）においては、大径部１４０１と大径部１４１１とが接触し、円板１２４ａと大径部１４０３とが接触し、円板１２５ａと大径部１４１３とが接触する。
【００９４】
このように、カム１４０とカム１４１との大径部が接触するので、図５（ａ）のように、加湿ローラ１２２と加湿ローラ１２３、加湿ローラ１２２と給水ローラ１２４、加湿ローラ１２３と給水ローラ１２５とはそれぞれ離間している。即ち、これらローラ間の圧着が解除される。
【００９５】
図６（ｂ）においては、中径部１４０４と中径部１４１４とが離間し、円板１２４ａは直線部１４０２から離間し、円板１２５ａが直線部１４１２から離間する。加湿ローラ１２２と加湿ローラ１２３とは、バネ１３４、１３５の付勢で圧着する。同様に給水ローラ１２４は加湿ローラ１２２に、給水ローラ１２５は加湿ローラ１２３に、それぞれバネ１３４、１３５の付勢で圧着する。
【００９６】
図６（ｃ）においては、中径部１４０４と中径部１４１４とが離間し、円板１２４ａが大径部１４０１に接触し、円板１２５ａが大径部１４１１に接触する。図６（ｃ）は図５（ｃ）に対応し、加湿ローラ１２２と加湿ローラ１２３とが圧着し、給水ローラ１２４は加湿ローラ１２２から離間し、給水ローラ１２５は加湿ローラ１２３から離間する。
【００９７】
図６に示す圧着解除機構により、加湿ローラ１２２、１２３、給水ローラ１２４、１２５の圧着解除が行われるが、例えば、加湿ローラ１２２、１２３と給水ローラ１２４、１２５とを変位させるソレノイド、モータ等を圧着解除機構として用いることができる。
【符号の説明】
【００９８】
１２０  用紙加湿装置
１２２、１２３  加湿ローラ
１２４、１２５  給水ローラ
１４０、１４１  カム
Ｍ１、Ｍ２  モータ
Ｃ２  制御ユニット
【図１】
0005407747.tif 000003
【図２】
0005407747.tif 000004
【図３】
0005407747.tif 000005
【図４】
0005407747.tif 000006
【図５】
0005407747.tif 000007
【図６】
0005407747.tif 000008
【図７】
0005407747.tif 000009